(57)【特許請求の範囲】
【請求項１】
６４ｋｂｉｔ／ｓ非制限情報伝達サービス対応のＰＨＳにおいて、
基地局にて、第１情報チャネルにて通話状態にあるＰＨＳ端末に対し着信があった場合、上り用と下り用それぞれ複数の通信用スロットのうちの空いている通信用スロットの有無を確認するステップと、
空いている通信用スロット有りの場合、前記ＰＨＳ端末に情報チャネル追加要求指示を通知するステップと、
前記ＰＨＳ端末にて、前記基地局から前記情報チャネル追加要求指示を受けて、着信のあったことをユーザに通知するステップと、
前記ユーザの操作により、前記基地局に情報チャネル追加要求を通知するステップと、
前記基地局にて、前記ＰＨＳ端末から前記情報チャネル追加要求を受けて、前記ＰＨＳ端末との間で第２情報チャネルの確立を行うステップと、
前記ＰＨＳ端末にて、前記第２情報チャネルの確立後、その第２情報チャネルを通話状態とすると共に、前記第１情報チャネルを保留状態とするステップとを含むことを特徴とするＰＨＳにおけるキャッチホン機能制御方法。
【請求項２】
前記基地局から前記ＰＨＳ端末に対し、前記第１情報チャネルのＳＡＣＣＨ（低速付随制御チャネル）を用いて前記情報チャネル追加要求指示を通知し、
前記ＰＨＳ端末から前記基地局に対し、前記第１情報チャネルのＳＡＣＣＨを用いて前記情報チャネル追加要求を通知することを特徴とする請求項１に記載のＰＨＳにおけるキャッチホン機能制御方法。
【請求項３】
６４ｋｂｉｔ／ｓ非制限情報伝達サービス対応のＰＨＳにおいて、
基地局は、第１情報チャネルにて通話状態にあるＰＨＳ端末に対し着信があった場合、上り用と下り用それぞれ複数の通信用スロットのうちの空いている通信用スロットの有無を確認する手段と、
空いている通信用スロット有りの場合、前記ＰＨＳ端末に情報チャネル追加要求指示を通知する手段と、
前記ＰＨＳ端末から情報チャネル追加要求を受けて、前記ＰＨＳ端末との間で第２情報チャネルの確立を行う手段とを有し、
前記ＰＨＳ端末は、前記基地局から前記情報チャネル追加要求指示を受けて、着信のあったことをユーザに通知する手段と、
前記ユーザの操作により、前記基地局に前記情報チャネル追加要求を通知する手段と、
前記第２情報チャネルの確立後、その第２情報チャネルを通話状態とすると共に、前記第１情報チャネルを保留状態とする手段とを有することを特徴とするＰＨＳにおけるキャッチホン機能制御システム。
【請求項４】
前記基地局は、前記ＰＨＳ端末に対し第１情報チャネルのＳＡＣＣＨ（低速付随制御チャネル）を用いて前記情報チャネル追加要求指示を通知し、
前記ＰＨＳ端末は、前記基地局に対し前記第１情報チャネルのＳＡＣＣＨを用いて情報チャネル追加要求を通知することを特徴とする請求項３に記載のＰＨＳにおけるキャッチホン機能制御システム。
【請求項５】
６４ｋｂｉｔ／ｓ非制限情報伝達サービス対応のＰＨＳにおいて、
第１情報チャネルにて通話状態のときに着信があった場合、上り用と下り用それぞれ複数の通信用スロットのうちの空いている通信用スロットの有無を確認し、基地局から情報チャネル追加要求指示を受けて、着信のあったことをユーザに通知する手段と、
前記ユーザの操作により、前記基地局に前記情報チャネル追加要求を通知する手段と、
前記基地局との間で第２情報チャネルの確立後、その第２情報チャネルを通話状態とすると共に、前記第１情報チャネルを保留状態とする手段とを有することを特徴とするキャッチホン機能付ＰＨＳ端末。
【請求項６】
前記基地局から前記第１情報チャネルのＳＡＣＣＨ（低速付随制御チャネル）を用いて前記情報チャネル追加要求指示を受け、
前記基地局に対し前記第１情報チャネルのＳＡＣＣＨを用いて情報チャネル追加要求を通知することを特徴とする請求項５に記載のキャッチホン機能付ＰＨＳ端末。
【発明の詳細な説明】
【０００１】
【発明の属する技術分野】
本発明は、ＰＨＳ（簡易型携帯電話：Personal Handy-phone System）におけるキャッチホン機能を提供するＰＨＳにおけるキャッチホン機能制御方法およびシステムならびにキャッチホン機能付ＰＨＳ端末に関する。
【０００２】
【従来の技術】
従来、通話中に別の相手から電話がかかってくると、交換機から信号音によって通知し、通話者がフックスイッチを押すことによって現在の通話相手を保留にしたまま、後からかけてきた相手に応答でき、もう一度フックスイッチを押すことによって元の通話相手に切り替えるキャッチホンサービスがある。このキャッチホンサービスは、フッキングごとに通話相手を切り替える装置を加入者線と交換機の間に挿入することによって実現している。
【０００３】
【発明が解決しようとする課題】
しかしながら、ＰＨＳでキャッチホンサービスの実現を考えた場合、ＰＨＳ端末だけでなく基地局側に対しても大幅な変更が必要となる。
【０００４】
そこで本発明は、上記従来の問題点を解消すべく、６４ｋｂｉｔ／ｓ非制限情報伝達サービスに着目し、その制御シーケンスを用いいることにより、容易にＰＨＳにおけるキャッチホン機能を実現する、ＰＨＳにおけるキャッチホン機能制御方法およびシステムならびにキャッチホン機能付ＰＨＳ端末を提供することを目的とする。
【０００５】
【課題を解決するための手段】
上述の課題を解決するため、本発明は、６４ｋｂｉｔ／ｓ非制限情報伝達サービス対応のＰＨＳにおいて、基地局にて、第１情報チャネルにて通話状態にあるＰＨＳ端末に対し着信があった場合、上り用と下り用それぞれ複数の通信用スロットのうちの空いている通信用スロットの有無を確認するステップと、空いている通信用スロット有りの場合、前記ＰＨＳ端末に情報チャネル追加要求指示を通知するステップと、前記ＰＨＳ端末にて、前記基地局から前記情報チャネル追加要求指示を受けて、着信のあったことをユーザに通知するステップと、前記ユーザの操作により、前記基地局に情報チャネル追加要求を通知するステップと、前記基地局にて、前記ＰＨＳ端末から前記情報チャネル追加要求を受けて、前記ＰＨＳ端末との間で第２情報チャネルの確立を行うステップと、前記ＰＨＳ端末にて、前記第２情報チャネルの確立後、その第２情報チャネルを通話状態とすると共に、前記第１情報チャネルを保留状態とするステップとを含むことを特徴とする。
【０００６】
以上の構成によって、基地局側（６４ｋｂｉｔ／ｓ非制限情報伝達サービス対応）にハード的な変更無く、簡単な機能追加で、容易にＰＨＳにおけるキャッチホン機能を実現できる。
【０００７】
【発明の実施の形態】
次に、本発明の実施の形態について図面を参照して説明する。
【０００８】
図１は本実施の形態の概略構成を示し、ＰＨＳ端末１と基地局（６４ｋｂｉｔ／ｓ非制限情報伝達サービス対応）２とを含み、基地局２は電話網に接続されている。ＰＨＳ端末１は無線部１１、制御部１２、表示部１３、操作部１４を有し、基地局２は制御部２１、無線部２２を有する。ＰＨＳ端末１の無線部１１と基地局２の無線部２２とは、ＴＤＭＡ／ＴＤＤ(Time Division Multiple Access/Time Division Duplex)方式により、１つの無線周波数をチャネル分割により８つに分割し、上りと下りを１つの周波数で無線通信を行う。この８つのチャネルのうち、上り用と下り用にそれぞれ制御チャネルを１チャネルづつ使用し、残りの６チャネルで基地局とＰＨＳ端末とが通信を行う。１つの通話チャネルで３２ｋｂｉｔ／ｓのデータ通信を行うことができ、この通話チャネルを２つ使用することで６４ｋｂｉｔ／ｓのデータ通信を実現する。
【０００９】
第１ＴＣＨ（情報チャネル：Traffic Channel）にて通話状態にあるＰＨＳ端末１に対して着信があった場合、基地局２は制御部２１により空いている通信用スロット（情報チャネル）の有無を確認する。空いている通信用スロット有りの場合、ＰＨＳ端末１に対し無線部２２からＴＣＨ追加要求指示を通知する。ＰＨＳ端末１の無線部１１でＴＣＨ追加要求指示を受けると制御部１２は表示部１３にて光、音、振動等で第２の着信があったことをユーザに知らせる。ユーザが第２の着信を受ける場合、操作部１４でボタン押下等の操作を行うことにより、無線部１１からＴＣＨ追加要求を通知する。
【００１０】
基地局２は無線部２２でＴＣＨ追加要求を受けるとＰＨＳ端末１との間で第２ＴＣＨの確立を行う。第２ＴＣＨが確立後、第１ＴＣＨは保留状態とし、第２ＴＣＨを通話状態とする。通話状態とするＴＣＨの切り替え、及び、ＴＣＨの切断はＰＨＳ端末１の操作部１４にてボタン押下等の操作で行う。
【００１１】
次に、図２に示すフローチャートを参照して、本実施の形態の動作について詳細に説明する。第１ＴＣＨにて通話状態にあるＰＨＳ端末１に対し着信があった場合（Ｓ１，Ｓ２）、基地局２は制御部２１により空いている通信用スロットの有無を確認する（Ｓ３）。空いている通信用スロット有りの場合、ＰＨＳ端末１に対し第１ＴＣＨのＳＡＣＣＨ（低速付随制御チャネル）を用いて無線部２２からＴＣＨ追加要求指示を通知する（Ｓ４）。
【００１２】
図３は通信用物理スロットのフォーマットを示す。ＡＣＣＨはＴＣＨ（情報チャネル）に付随した双方向チャネルであり、呼接続に必要な制御情報およびユーザパケットデータ転送を行う。ＴＣＨに常時付随したＡＣＣＨをＳＡＣＣＨ(slow associated control channel)、一時的にＴＣＨをスチールして高速のデータ転送を行うチャネルをＦＡＣＣＨ(fast associated control channel)とする。このＴＣＨに常時付随したＳＡＣＣＨの情報フィールドを用いて、基地局２からＰＨＳ端末１に対しＴＣＨ追加要求指示を通知し、ＰＨＳ端末１から基地局２に対しＴＣＨ追加要求を通知する。
【００１３】
次に、ＰＨＳ端末１の無線部１１でＴＣＨ追加要求指示を受けると制御部１２は表示部１３にて光、音、振動等で第２の着信があったことをユーザに知らせる（Ｓ５）。ユーザが第２の着信を受ける場合、操作部１４でボタン押下等の操作を行うことにより（Ｓ７）、無線部１１から第１ＴＣＨのＳＡＣＣＨを用いてＴＣＨ追加要求を通知する（Ｓ８）。基地局２は無線部２２でＴＣＨ追加要求を受けるとＰＨＳ端末１との間で第２ＴＣＨの確立を行う（Ｓ９）。ここまでの手順はＲＣＲ ＳＴＤ−２８の６４ｋｂｉｔ／ｓ非制限情報伝達サービスの通信中第２ＴＣＨ追加（ＣＳ指示付き）制御シーケンスによるものである。
【００１４】
第２ＴＣＨが確立後、第２ＴＣＨを通話状態とし、第１ＴＣＨは保留状態とし（Ｓ１０）、以降ユーザによる操作部１４でのボタン押下等の操作により、通話状態とするＴＣＨの切り替えを行う（Ｓ１２，Ｓ１５）。
【００１５】
図４は、本発明における通信用物理スロットの通話／保留切り替えの様子を示す。ＴＤＭＡ／ＴＤＤ方式による上り用と下り用のそれぞれ３つの通信用物理スロットのうち、基地局２から第１ＴＣＨに対応する下りのＴ＃１を用いて送信し、ＰＨＳ端末１ではＲ＃１として受信する。ＰＨＳ端末１からは第１ＴＣＨに対応する上りのＴ＃１を用いて送信し、基地局２ではＲ＃１として受信する。他からの着信があった場合、Ｔ＃３およびＲ＃３を第２ＴＣＨに対応させ、通信を確立する。そして第１ＴＣＨに対応するＲ＃１およびＴ＃１と、第２ＴＣＨに対応するＲ＃３およびＴ＃３とを切り替え、一方を通話、他方を保留とする。
【００１６】
また、通話状態にあるＴＣＨの切断についても操作部１４でのボタン押下等の操作で行う（Ｓ１６，Ｓ１７）。
【００１７】
【発明の効果】
以上説明したように、本発明は、基地局側（６４ｋｂｉｔ／ｓ非制限情報伝達サービス対応）にハード的な変更無く、情報チャネルに常時付随したＳＡＣＣＨの情報フィールドを用いて、基地局からＰＨＳ端末に対し情報チャネル追加要求指示を通知し、ＰＨＳ端末から基地局に対し情報チャネル追加要求を通知し、さらにＰＨＳ端末に通信用物理スロット切り替え機能を持たせることにより、容易にＰＨＳにおけるキャッチホン機能を実現できる。
【図面の簡単な説明】
【図１】本発明に係る実施の形態の概略構成図である。
【図２】本発明に係る実施の形態のフローチャートである。
【図３】通信用物理スロットのフォーマットを示す図である。
【図４】本発明における通信用物理スロットの通話／保留切り替えを示すタイムチャートである。
【符号の説明】
１  ＰＨＳ端末
２  基地局
【図１】
0003667596.tif 000002
【図２】
0003667596.tif 000003
【図３】
0003667596.tif 000004
【図４】
0003667596.tif 000005